(57)【特許請求の範囲】
【請求項１】
ポンプ装置のモータ部とポンプ部とを仕切るのに使用され、プレス成形品からなるケーシングカバーにおいて、
円筒状部を有し、前記モータ部側の部材といんろうを採りプレス成形の際に正となるモータ部側いんろう部と、前記ポンプ部側の部材といんろうを採りプレス成形の際に正となるポンプ部側いんろう部とを前記円筒状部の段差を挟んだ内周面と外周面にそれぞれ設けたことを特徴とするケーシングカバー。
【請求項２】
モータ部とポンプ部とをプレス成形品からなるケーシングカバーで仕切ったポンプ装置において、
前記ケーシングカバーの円筒状部の段差を挟んだ内周面と外周面に、プレス成形の際に共に正となるモータ部側いんろう部とポンプ部側いんろう部をそれぞれ設け、前記モータ部側いんろう部と前記モータ部側の部材との間、及び前記ポンプ部側いんろう部と前記ポンプ部側の部材との間にそれぞれいんろうを採って前記ケーシングカバーを前記モータ部と前記ポンプ部との間に装着したことを特徴とするポンプ装置。
【発明の詳細な説明】
【０００１】
【発明の属する技術分野】
本発明は、例えば清水を扱う循環ポンプ等のポンプ装置のモータ部とポンプ部とを仕切るのに使用されるケーシングカバー、及び該ケーシングカバーを備えたポンプ装置に関する。
【０００２】
【従来の技術】
例えば、清水を扱う循環ポンプ等のポンプ装置にあっては、ポンプケーシング内部の昇圧された取扱液が、ポンプケーシングの高圧側開口部からモータ部側に漏れるのを防止する必要がある。このため、例えば内部に主軸を軸封するメカニカルシールを取付けたケーシングカバーでモータ部とポンプ部とを仕切り、更にポンプケーシングの内部を、例えばＯリングで水密的にシールすることが広く行われている。
【０００３】
図３は、この種のケーシングカバーとして、例えばステンレス鋼板をプレス成形したプレス成形品を使用した従来の一般的なポンプ装置の該ケーシングカバーの取付け部を拡大して示す。このケーシングカバー１０は、板体を一体に成形した平板部１２、円筒状部１４及びフランジ部１６を有している。そして、この円筒状部１４の内周面側のモータブラケット２０との当接面をモータ部側いんろう部１４ａ、外周面側のポンプケーシング２２との当接面をポンプ部側いんろう部１４ｂとして、このモータ部側いんろう部１４ａでモータブラケット２０といんろうを採り、ポンプ部側いんろう部１４ｂでポンプケーシング２２といんろうを採っている。
【０００４】
このように、ケーシングカバー１０の円筒状部１４の内周面と外周面でモータブラケット２０とポンプケーシング２２といんろうを採っているため、板材をプレス成形して円筒状部１４を成形する際には、円筒状部１４の内周面と外周面の一方（例えば内周面）を正として寸法精度を出すようにしている。
【０００５】
【発明が解決しようとする課題】
しかしながら、従来のケーシングカバーにあっては、その円筒状部のプレス成形に際して、円筒状部の内周面または外周面の一方（例えば内周面）を正としてプレス成形しており、板材の肉厚には一般にばらつきがあるため、他方（例えば外周面）の精度を出すことが困難であるばかりでなく、例えばメカニカルシールの交換等のメンテナンス時に、ケーシングカバーを取外す際、錆の発生等でケーシングカバーがモータブラケットやポンプケーシングにくっつき易く、このためケーシングカバーを円筒状部の内周面と外周面の双方を正規の寸法のままで取出すことが困難であるといった問題があった。
【０００６】
本発明は上記事情に鑑みて為されたもので、モータ部側とポンプ部側の双方の部材と高い精度でいんろうを採ることができ、しかもモータ部側とポンプ部側の双方の部材とのいんろう部を正規寸法のまま分解して取出すことができるようにしたケーシングカバー及び該ケーシングカバーを使用したポンプ装置を提供することを目的とする。
【０００７】
【課題を解決するための手段】
請求項１に記載の発明は、ポンプ装置のモータ部とポンプ部とを仕切るのに使用され、プレス成形品からなるケーシングカバーにおいて、円筒状部を有し、前記モータ部側の部材といんろうを採りプレス成形の際に正となるモータ部側いんろう部と、前記ポンプ部側の部材といんろうを採りプレス成形の際に正となるポンプ部側いんろう部とを前記円筒状部の段差を挟んだ内周面と外周面にそれぞれ設けたことを特徴とするケーシングカバーである。
【０００８】
これにより、モータ部側いんろう部とポンプ部側いんろう部を、段差を挟んだ位置に個別に設けることで、これらの各いんろう部を正としたプレス成形を行って、高い精度を出すとともに、これらの各いんろう部の寸法を維持したまま、分解して取出すことができる。
【０００９】
請求項２に記載の発明は、モータ部とポンプ部とをプレス成形品からなるケーシングカバーで仕切ったポンプ装置において、前記ケーシングカバーの円筒状部の段差を挟んだ内周面と外周面に、プレス成形の際に共に正となるモータ部側いんろう部とポンプ部側いんろう部をそれぞれ設け、前記モータ部側いんろう部と前記モータ部側の部材との間、及び前記ポンプ部側いんろう部と前記ポンプ部側の部材との間にそれぞれいんろうを採って前記ケーシングカバーを前記モータ部と前記ポンプ部との間に装着したことを特徴とするポンプ装置である。
【００１０】
【発明の実施の形態】
以下、本発明の実施の形態を図面を参照して説明する。
図１及び図２は、本発明の実施の形態のポンプ装置を示すもので、このポンプ装置は、モータ部Ｍとポンプ部Ｐとを有し、このモータ部Ｍの高圧側開口部には、モータ部Ｍとポンプ部Ｐを仕切るケーシングカバー１０が配置されている。このケーシングカバー１０は、モータ部Ｍのポンプ部側端部に取付けたモータブラケット２０とポンプ部Ｐ側のポンプケーシング２２との間で周縁部を挟持して固定されている。
【００１１】
モータ部Ｍから延びる主軸３０は、ケーシングカバー１０の内周面に取付けメカニカルシール３２で軸封されてポンプ部Ｐのポンプケーシング２２の内部に達し、この端部に羽根車３４が固着されている。
【００１２】
ポンプケーシング２２は、吸込口２４と吐出口２６とを有しており、更に、ポンプケーシング２２の羽根車３４の吸込側端部の外周面を囲繞する端面には、ライナリング３６が圧入等により固定されている。このようにライナリング３６を配置することで、羽根車３４の吸込側端部の外周面とライナリング３６の内周面との間に、所定の隙間を有し、ポンプケーシング２２の内部の高圧部と低圧部とを仕切る一種の絞りを形成している。
【００１３】
これにより、モータ部Ｍの駆動に伴ってポンプケーシング２２の内部に配置された羽根車３４が主軸３０と一体に回転し、この羽根車３４の回転に伴って、取扱液は、吸込口２４からポンプケーシング２２の内部に吸込まれ羽根車３４で昇圧されて吐出口２６から順次吐き出される。
【００１４】
ケーシングカバー１０は、例えばステンレス鋼板をプレス成形したプレス成形品からなり、平板部１２、円筒状部１４、フランジ部１６及びメカニカルシール３２を収納保持するメカニカルシール収納部１８を有している。そして、円筒状部１４の長さ方向に沿った位置には、開口部側（モータ部側）がやや大径となるように段差１４ｃが設けられ、この段差１４ｃを挟んで、モータ部側の内周面にモータブラケット２０といんろうを採るモータ部側いんろう部１４ａが、ポンプ部側の外周面にポンプケーシング２２といんろうを採るポンプ部側いんろう部１４ｂがそれぞれ設けられている。
【００１５】
そして、ケーシングカバー１０は、その円筒状部１４において、モータ部側いんろう部１４ａとモータブラケット２０との間、及びポンプ側いんろう部１４ｂとポンプケーシング２２との間にそれぞれいんろうを採って、モータブラケット２０とポンプケーシング２２との間に配置されて固定されている。
【００１６】
このように、ケーシングカバー１０の円筒状部１４の段差１４ｃを挟んだ位置にモータ部側いんろう部１４ａとポンプ部側いんろう部１４ｂを個別に設けることで、これらの各いんろう部１４ａ，１４ｂを正としたプレス成形を行って、すなわち、先ず段差１４ｃを挟んだポンプ部側にあっては、ポンプ部側いんろう部１４ｂとなる外周面を正（基準）としたプレス成形を行い、段差１４ｃを挟んだモータ部側にあっては、モータ側いんろう部１４ａとなる内周面を正（基準）としたプレス成形を行うことで、いんろう部１４ａ，１４ｂに高い精度を出すことができる。これによって、ケーシングカバー１０の組立てを容易かつ迅速に行うことができる。
【００１７】
しかも、例えばメカニカルシール３２の交換等のメンテナンス時に、ケーシングカバー１０を取外す際、錆の発生等でケーシングカバー１０がモータブラケット２０やポンプケーシング２２にくっついていた場合に、段差１４ｃを挟んだポンプ部側にあっては、ポンプ部側いんろう部１４ｂとなる外周面の寸法を維持したまま、段差１４ｃを挟んだモータ部側にあっては、モータ側いんろう部１４ａとなる内周面の寸法を維持したまま、ケーシングカバー１０を取出すことができる。これによって、ケーシングカバーの再組立てを容易かつ迅速に行うことができる。
【００１８】
【発明の効果】
以上説明したように、本発明によれば、モータ部側とポンプ部側の双方の部材とで高い精度でいんろうを出して組立てを容易かつ迅速に行うことができ、しかもモータ部側とポンプ部側の双方の部材との間のいんろう部を正規寸法のまま分解時に取出して、再組立てを容易かつ迅速に行うことができる。
【図面の簡単な説明】
【図１】本発明の第１の実施の形態のポンプ装置を示す断面図である。
【図２】図１の要部拡大図である。
【図３】従来のポンプ装置の要部拡大図（図２相当図）である。
【符号の説明】
１０  ケーシングカバー
１４  円筒状部
１４ａ，１４ｂ  いんろう部
１４ｃ  段差
１６  フランジ部
１８  メカニカルシール収納部
２０  モータブラケット
２２  ポンプケーシング
３０  主軸
３２  メカニカルシール
３４  羽根車
Ｍ  モータ部
Ｐ  ポンプ部
【図１】
0003978575.tif 000002
【図２】
0003978575.tif 000003
【図３】
0003978575.tif 000004